(57)【特許請求の範囲】
【請求項１】
橋梁の地覆を構成するコンクリート中に埋設されたアンカーボルトにベースプレートが螺着され、このベースプレート上に補強材が立設され、上下面に亘って貫通した縦孔が穿設されると共に相対する２側面に亘って横孔が貫通された非金属無機材料からなる支柱が、この横孔に挿通された吊り下げ具で吊り下げられて前記補強材に被装されると共に補強材の基部の上部に溶接されたＬ型の金具からなる支持部の上に載置され、立設された後前記吊り下げ具が抜き取られ、吊り下げ具が抜き取られた後の横孔に柵体が取り付けられることを特徴とする高欄の施工方法。
【請求項２】
両端に雄ネジが螺設された鋼棒が支柱の側面に穿設された横孔に挿通され、両端の雄ネジにアイナットが螺入されて吊り下げ具となされ、この吊り下げ具両端のリング部に紐状体が挿通され、この紐状体で支柱が吊り下げられて施工されることを特徴とする請求項１記載の高欄の施工方法。
【発明の詳細な説明】
【０００１】
【発明の属する技術分野】
本発明は、天然石等で作製された支柱で構成される高欄の施工方法に関する。
【０００２】
【従来の技術】
従来、防護柵の支柱に於いて天然石で作製された支柱は地覆に箱抜きを施し、そこに天然石で作製された支柱を納め、モルタル等で固定する工法が知られている。
【０００３】
【発明が解決しようとする課題】
しかしながら上記の如き防護柵に於いて、地表に載置された天然石の支柱はその自重によって自立しているが、強い水平応力が加えられると転倒する可能性があり、危険であった。又天然石の強度が安定したものではなく、特に強い衝撃力がかかると割れたり折れたりするという問題があった。
又、石部材を扱う施工ではハサミと呼ばれる重機が用いられるが、金属製の高欄の施工業者はこの種の建設機材を一般に用いないので、ハサミがなくても施工できる施工方法が要望されている。
【０００４】
【課題を解決するための手段】
本発明請求項１記載の高欄の施工方法は橋梁の地覆を構成するコンクリート中に埋設されたアンカーボルトにベースプレートが螺着され、このベースプレート上に補強材が立設され、上下面に亘って貫通した縦孔が穿設されると共に相対する２側面に亘って横孔が貫通された非金属無機材料からなる支柱が、この横孔に挿通された吊り下げ具で吊り下げられて前記補強材に被装されると共に補強材の基部の上部に溶接されたＬ型の金具からなる支持部の上に載置され、立設された後前記吊り下げ具が抜き取られ、吊り下げ具が抜き取られた後の横孔に柵体が取り付けられるもので、地覆に埋設されたアンカーボルトにベースプレート上の補強材が取り付けられるもので、支柱の建殖以後の施工が乾式工法で行えるので作業性が良く、支柱側面に穿設された横孔に吊り下げ具を挿通して支柱を吊り下げることができ特殊な治工具が不要で、支柱が前記補強材に被装されるので、支柱が天然石や人造石等の脆い材質でも補強材に補強され好適なものとなされる。
本発明請求項２記載の高欄の施工方法は、両端に雄ネジが螺設された鋼棒が支柱の側面に穿設された横孔に挿通され、両端の雄ネジにアイナットが螺入されて吊り下げ具となされ、この吊り下げ具両端のリング部に紐状体が挿通され、この紐状体で支柱が吊り下げられて施工されるもので、支柱に吊り下げ具を付けるのが容易で、取り付けた吊り下げ具が外れたり破損したりすることもない。
【０００５】
【発明の実施の形態】
１は石造り等の支柱であり、この支柱１、１間に柵体２が横架され防護柵となされている。支柱１の相対する両側面には横孔１２が穿設され、この横孔１２にボルトが挿通され柵体２が支柱１に螺着されている。本実施例では、柵体２は上下一対の水平ビーム２１間に適宜間隔で垂直ビーム２２が取付けられ作製されたものを示したが柵体２はこれに限るものではなく、水平ビームのみで構成された横桟型でも良いし、アルミ板等のパネルで構成されたパネル型でも良い。
【０００６】
本発明防護柵を橋梁の地覆に施工する場合に付いての施工方法の１例に付いて説明する。
まず、アンカーボルト４がその雄ネジ部が露出されるように地覆に埋設され、このアンカーボルト４の雄ネジ部に補強材３のベースプレート３１を嵌装螺着して、地覆上に補強材３を立設する。次にベースプレートカバー３２が補強材３の下部に巻装され補強材３下部のＬ型金具やアンカーボルト４のネジ部が隠蔽されている。
次に、支柱１の上部の２側面に亘って貫通された横孔１２に両端に雄ネジ７２が螺設された鋼棒７１が通されその両端の雄ネジ７２にアイナット７３が螺入され、吊り下げ具７となされる。この吊り下げ具７両端のアイナット７３のリング部にロープ等の紐状体が挿通され、この紐状体の他端部がクレーン等で持ち上げられ前記補強材３に支柱１が被されるように立設される。支柱１が立設された後、支柱１側面上部に穿設された横孔１２に挿通された吊り下げ具７端部のアイナット７３が外され、吊り下げ具７が抜き取られる。立設された支柱１はその中心軸に沿って地覆に取付けられた補強材３が装着されているので、水平方向に大きな応力が加えられたときも容易に転倒することがなく、衝撃等で破損したときも飛散することがない。
次に、支柱１側面の横孔１２に取付け金具が螺着され、この金具に柵体２の水平ビーム２１が取付けられ、柵体２が支柱１間に取付けられ防護柵となされる。この後、端部に立設された支柱１は柵体２が取付けられた側の反対側側面の横孔１２に反射体が挿入取付けられる。支柱１側面に反射体が取付けられているので、夜間自動車等から照射される光を反射して自動車等の運転者に支柱１が視認され易くなされる。
最後に、支柱１の上端にキャップ１３が嵌着され施工が完了する。
【０００７】
次に本発明高欄の施工方法に用いられる高欄の構成の１例に付いて説明する。
支柱１はその断面略４角形の柱状体でその４角の面が取られ、水平断面略中心に縦孔１１が上下に貫通して穿設されている。支柱１の相対する２側面には横孔１２が各面の１〜２箇所の適宜位置に穿設されている。この横孔１２は支柱１をクレーン等で移動するときロープをこの横孔１２に通し吊り下げられるようになされている。支柱１は天然石や人造石或いはコンクリート等の非金属無機材料で作製される。又、支柱１の形状は前記した形状に限るものではなく、円柱状等適宜周囲の景観に配慮した形状となされれば良い。
【０００８】
補強材３はそのベースプレート３１が橋梁等の地覆に埋設されたアンカーボルト４に螺着され、地覆上に立設される。環状のベースプレートカバー３２が前記ベースプレート３１に嵌装され、ベースプレート３１やアンカーボルト４を隠蔽し、外観を良くしている。補強柱３はその外接円径が支柱１の縦孔径１１より小径のＨ形鋼で作製されその基部にベースプレート３１が溶接され、基部の稍々上部にＬ型の金具が４方に溶接され支持部３３となされている。前記支柱１の縦孔１１がこの補強材３に被されこの支持部３３上に載置される。支柱１の上の横孔１２の位置に対応した位置の補強材３のウエブ部３４が略Ｕ字型に切り欠かれるとともに下の横孔１２の位置に対応した位置の補強材３のウエブ部３４に孔が穿設されている。補強材３は本実施例ではＨ形鋼で作製される例を示したがＨ形鋼に限るものではなく、鋼管等他の形鋼で作製されても良いし、鋼やアルミ等を鋳造して作製されても良く、その表面は防錆の為鍍金や塗装等適宜表面処理が施されれば良い。
【０００９】
５は反射板であり、成型品の表面に反射ビーズ等が分散配置され、裏面に取付け用の突起が形成されている。６はバネ材であり、このバネ材６の基板６１の両端が略直角に屈曲され、脚部６２となされ、この脚部６２の先端がＪ字型に折曲され係止部６２１となされている。反射板５裏面の突起が前記バネ材６の中央に穿設された取付孔に挿入され、加熱圧し潰されて反射板５がバネ材６に取付けられ反射体となされる。
【００１０】
バネ材６は鋼板等の弾性板材で作製されており、支柱１の側面に形成された横孔１２に反射体を取付けるにはバネ材６の脚部６２を内側に折曲し前記横孔１２に挿入していくと反射板５の裏面が前記した支柱側面に穿設された横孔の入り口に形成された段部に当接され反射体はその表面が支柱表面と同じレベルで取り付けられる。このとき反射板５の裏面に設けられた脚部６２先端の係止部６２１が横孔内壁に係合され反射体が横孔から抜けないようになされる。
【００１１】
【発明の効果】
本発明請求項１記載の高欄の施工方法は橋梁の地覆を構成するコンクリート中に埋設されたアンカーボルトにベースプレートが螺着され、このベースプレート上に補強材が立設され、上下面に亘って貫通した縦孔が穿設されると共に相対する２側面に亘って横孔が貫通された非金属無機材料からなる支柱が、この横孔に挿通された吊り下げ具で吊り下げられて前記補強材に被装されると共に補強材の基部の上部に溶接されたＬ型の金具からなる支持部の上に載置され、立設された後前記吊り下げ具が抜き取られ、吊り下げ具が抜き取られた後の横孔に柵体が取り付けられるもので、地覆に埋設されたアンカーボルトにベースプレート上の補強材が取り付けられるもので、支柱の建殖以後の施工が乾式工法で行えるので作業性が良く、支柱側面に穿設された横孔に吊り下げ具を挿通して支柱を吊り下げることができ特殊な治工具が不要で、支柱が前記補強材に被装されるので、支柱が天然石や人造石等の脆い材質でも補強材に補強され、水平方向に大きな応力がかかったときも容易に転倒することがなく好適なものとなされる。
本発明請求項２記載の高欄の施工方法は、両端に雄ネジが螺設された鋼棒が支柱の側面に穿設された横孔に挿通され、両端の雄ネジにアイナットが螺入されて吊り下げ具となされ、この吊り下げ具両端のリング部に紐状体が挿通され、この紐状体で支柱が吊り下げられて施工されるもので、支柱に吊り下げ具を付けるのが容易で、取り付けた吊り下げ具が外れたり破損したりすることもない。
【図面の簡単な説明】
【図１】本発明高欄の施工方法の実施形態の一例を示す高欄の正面図である。
【図２】本発明高欄の施工方法における支柱組立の実施形態の一例を示す組立図である。
【図３】図１の支柱下部の一部切り欠き詳細図である。
【図４】本発明に用いられる反射体の実施形態の一例を示す（イ）は正面図、（ロ）は右側面図である。
【符号の説明】
１    支柱
１１  縦孔
１２  横孔
１３  キャップ
２    柵体
２１  水平ビーム
２２  垂直ビーム
３    補強材
３１  ベースプレート
３２  ベースプレートカバー
３３  支持部
３４  ウエブ部
４    アンカーボルト
５    反射板
６    バネ材
６１  基板
６２  脚部
６２１係止部
７        吊り下げ具
７１  鋼棒
７２  雄ネジ
７３  アイナット
【図１】
0003559395.tif 000002
【図２】
0003559395.tif 000003
【図３】
0003559395.tif 000004
【図４】
0003559395.tif 000005